(57)【要約】【課題】ファーストコピーアウトプットタイムをより短縮することが可能な画像読取装置及びその制御方法、該画像読取装置を備えた画像形成装置を提供する。【解決手段】プラテン２０２、圧板２１０、圧板２１０の開閉を検知する開閉検知手段、光学ランプ２０３により原稿を照明し、反射光をＣＣＤセンサ２０８で読み取って原稿画像を読み取る画像読取手段、開閉検知手段による圧板２１０の開動作検知で光学ランプ２０３を原稿サイズ検知位置に配し、閉動作検知で光学ランプ２０３により原稿を照明し、反射光を読み取って原稿サイズ検知を行う原稿サイズ検知手段、原稿の有無を検知する原稿有無検知手段、原稿サイズ検知後、原稿が有ることが検知された場合に、原稿サイズ検知における光学ランプ２０３の点灯状態を保持し、画像読み取りを行うように制御するＣＰＵ３２１を備えたことを特徴とする画像読取装置。【選択図】図１ａ
2008172486.tif 000002
【特許請求の範囲】
【請求項１】
原稿を載置する原稿台と、
原稿を前記原稿台に押圧する開閉可能な押圧部材と、
前記押圧部材の開閉を検知する開閉検知手段と、
光源により前記原稿台に載置された原稿を照明し、副走査方向に走査して、前記原稿からの反射光を画像読取素子で読み取ることで前記原稿の画像を読み取る画像読取手段と、
前記開閉検知手段により前記押圧部材の開動作が検知された場合に前記光源を原稿サイズ検知位置に配し、前記押圧部材の閉動作が検知された場合に前記光源により前記原稿を照明し、前記原稿からの反射光を前記画像読取素子で読み取ることで前記原稿のサイズ検知を行う原稿サイズ検知手段と、
前記原稿台における原稿の有無を検知する原稿有無検知手段と、
前記原稿サイズ検知手段により原稿サイズが検知され、かつ、前記原稿有無検知手段により原稿が有ることが検知された場合に、前記原稿サイズ検知手段による原稿サイズ検知における前記光源の点灯状態を保持し、画像読取手段による画像読み取りを行うように制御する制御手段とを備えたことを特徴とする画像読取装置。
【請求項２】
請求項１に記載の画像読取装置において、
前記制御手段は、前記原稿サイズ検知手段により原稿サイズが検知された後に、前記原稿有無検知手段により原稿が無いことが検知された場合に、前記光源を消灯するように制御することを特徴とする画像読取装置。
【請求項３】
請求項１又は２に記載の画像読取装置において、
前記原稿サイズ検知手段による原稿サイズ検知終了からの時間を計測する計測手段を備え、
前記制御手段は、前記計測手段により計測された時間が予め設定された時間となるまでにユーザによる画像読み取り指示がなかった場合に、前記光源を消灯するように制御することを特徴とする画像読取装置。
【請求項４】
請求項１乃至３のいずれかに記載の画像読取装置において、
基準白色板と、
前記画像読取手段による画像読み取りを行う前に、前記光源を消灯した状態で前記画像読取素子により前記基準白色板を読み取る黒サンプリングと、前記光源を点灯した状態で前記画像読取素子により前記基準白色板を読み取る白サンプリングとを行い、前記黒サンプリング及び白サンプリングにより得られた結果からシェーディング補正を行う画像処理手段とを有し、
前記制御手段は、前記原稿サイズ検知手段により原稿サイズが検知された後に、前記光源の点灯状態を保持し、画像読取手段による画像読み取りを行う場合は、前記画像処理手段が前記白サンプリングのみを行い、該白サンプリングの結果と既存の黒サンプリングの結果とから前記シェーディング補正を行うように制御することを特徴とする画像読取装置。
【請求項５】
原稿台に載置された原稿を光源により照明して、原稿からの反射光を読み取ることで前記原稿の画像を読み取る画像読取装置の制御方法であって、
原稿を前記原稿台に押圧する押圧部材の開閉を検知する開閉検知工程と、
前記開閉検知工程において前記押圧部材の開動作が検知された場合に前記光源を原稿サイズ検知位置に配し、前記押圧部材の閉動作が検知された場合に前記光源により前記原稿を照明し、前記原稿のサイズ検知を行う原稿サイズ検知工程と、
前記原稿台における原稿の有無を検知する原稿有無検知工程と、
前記原稿サイズ検知工程において原稿サイズが検知された後に、前記原稿有無検知工程において原稿が有ることが検知された場合に、前記原稿サイズ検知工程での原稿サイズ検知における前記光源の点灯状態を保持する光源状態保持工程と、
前記光源状態保持工程において光源の点灯状態を保持した後に、前記原稿の画像を読み取る画像読み取り工程とを含むことを特徴とする画像読取装置の制御方法。
【請求項６】
請求項１乃至４のいずれかに記載の画像読取装置と、
記録媒体に画像を形成する画像形成手段とを備えたことを特徴とする画像形成装置。
【発明の詳細な説明】
【技術分野】
【０００１】
本発明は、画像読取装置及びその制御方法、該画像読取装置を備えた画像形成装置に関するものである。特に、本発明は原稿から画像を読み取る画像読取装置及びその制御方法、該画像読取装置を備えた、複写機、プリンタ、ファクシミリ装置等の画像形成装置に関するものである。
【背景技術】
【０００２】
従来、画像読取装置においては、ユーザの使い勝手を考慮して早い画像読み取り処理が要望されていた。また、複写機等の画像形成装置においても早い画像形成出力が求められており、早い画像形成出力を達成するためにも画像読み取り処理の迅速性が要望されていた。
【０００３】
この要望に応じるために、例えば特許文献１にあるように、原稿がセットされたことを検知するとすぐにランプを点灯する画像読取装置が提案されている（従来例１）。
【０００４】
また、最近では、ユーザが原稿サイズをうまく特定できずに戸惑うことがないように、ユーザにより原稿が載置された直後に、載置された原稿のサイズを特定することが可能な自動原稿サイズ検知制御を実施するものがある。例えば特許文献２では、圧板開閉動作検知時に原稿サイズ検知を実施し、原稿サイズ検知終了後に読み取り光学系をシェーディング位置で待機させるようにした画像読取装置が提案されている（従来例２）。
【特許文献１】特開平９−１６３１３７号公報
【特許文献２】特開２００１−２８５５８３号公報
【発明の開示】
【発明が解決しようとする課題】
【０００５】
最近は、１枚の原稿の読み取りを開始してから画像形成装置で出力するまでの時間であるファーストコピーアウトプットタイム（Ｆｉｒｓｔ  Ｃｏｐｙ  Ｏｕｔｐｕｔ  Ｔｉｍｅ）（以下ＦＣＯＴという）を短縮することがユーザの最大の要望になりつつある。そして、画像読み取り準備時間に影響する原稿サイズの特定については、前述の自動原稿サイズ検知制御が提案されている。
【０００６】
こうした中で、画像読み取り準備時間に影響する他のものとして、例えば、原稿を照射する光学ランプの、点灯してから読み取りに必要な光量に安定するまでにかかる時間も無視することができなくなりつつある。
【０００７】
前記従来例１については、確かにＦＣＯＴ短縮に効果はあると思われる。しかしながら、従来例１では、ユーザが原稿サイズを特定することが困難であることに対してユーザの使い勝手を向上させた自動原稿サイズ検知制御を一切考慮していない。そのため、ユーザによる原稿台に載置した原稿のサイズの特定に時間がかかることも想定でき、操作に不慣れなユーザに対して早い画像形成出力を提供できない可能性がある。
【０００８】
また、前記従来例２は、原稿サイズを検知し、読み取り光学系をシェーディング位置まで移動させることでＦＣＯＴの短縮を実現している。しかしながら、今後さらなるＦＣＯＴ短縮が要望される可能性がある。
【０００９】
本発明は、係る状況下でなされたものであり、ファーストコピーアウトプットタイムをより短縮することが可能な画像読取装置及びその制御方法、該画像読取装置を備えた画像形成装置を提供することを目的とする。
【課題を解決するための手段】
【００１０】
本発明は上述した課題を解決するためになされたものであり、以下の構成を備える。
【００１１】
（１）原稿を載置する原稿台と、原稿を前記原稿台に押圧する開閉可能な押圧部材と、前記押圧部材の開閉を検知する開閉検知手段と、光源により前記原稿台に載置された原稿を照明し、副走査方向に走査して、前記原稿からの反射光を画像読取素子で読み取ることで前記原稿の画像を読み取る画像読取手段と、前記開閉検知手段により前記押圧部材の開動作が検知された場合に前記光源を原稿サイズ検知位置に配し、前記押圧部材の閉動作が検知された場合に前記光源により前記原稿を照明し、前記原稿からの反射光を前記画像読取素子で読み取ることで前記原稿のサイズ検知を行う原稿サイズ検知手段と、前記原稿台における原稿の有無を検知する原稿有無検知手段と、前記原稿サイズ検知手段により原稿サイズが検知され、かつ、前記原稿有無検知手段により原稿が有ることが検知された場合に、前記原稿サイズ検知手段による原稿サイズ検知における前記光源の点灯状態を保持し、画像読取手段による画像読み取りを行うように制御する制御手段とを備えたことを特徴とする画像読取装置。
【００１２】
（２）原稿台に載置された原稿を光源により照明して、原稿からの反射光を読み取ることで前記原稿の画像を読み取る画像読取装置の制御方法であって、原稿を前記原稿台に押圧する押圧部材の開閉を検知する開閉検知工程と、前記開閉検知工程において前記押圧部材の開動作が検知された場合に前記光源を原稿サイズ検知位置に配し、前記押圧部材の閉動作が検知された場合に前記光源により前記原稿を照明し、前記原稿のサイズ検知を行う原稿サイズ検知工程と、前記原稿台における原稿の有無を検知する原稿有無検知工程と、前記原稿サイズ検知工程において原稿サイズが検知された後に、前記原稿有無検知工程において原稿が有ることが検知された場合に、前記原稿サイズ検知工程での原稿サイズ検知における前記光源の点灯状態を保持する光源状態保持工程と、前記光源状態保持工程において光源の点灯状態を保持した後に、前記原稿の画像を読み取る画像読み取り工程とを含むことを特徴とする画像読取装置の制御方法。
【００１３】
（３）前項（１）に記載の画像読取装置と、記録媒体に画像を形成する画像形成手段とを備えたことを特徴とする画像形成装置。
【発明の効果】
【００１４】
本発明によれば、ファーストコピーアウトプットタイムをより短縮することが可能な画像読取装置及びその制御方法、該画像読取装置を備えた画像形成装置を提供することができる。
【発明を実施するための最良の形態】
【００１５】
本発明を実施するための最良の形態を、以下の実施例で説明する。
【００１６】
ただし、この実施例に記載されている構成部品の寸法、材質、形状、その相対配置等は、特に特定的な記載がない限りは、この発明の範囲をそれらのみに限定する趣旨のものではない。
【実施例１】
【００１７】
以下、本実施例の画像読取装置について、図面を参照しながら説明する。
【００１８】
図１ａは本実施例の画像読取装置の正面断面図、図１ｂ、ｃ、ｄは本実施例の画像読取装置の側面断面図である。図１ａ〜ｄにおいて、２００は画像読取装置本体であり、２０２は原稿を載置するための原稿台としてのプラテンである。２１１は原稿をプラテン２０２上に載置する際に用いられるサイズ指標板である。サイズ指標板２１１のプラテン２０２側の面にはシェーディング用の基準白色板２１２がコーティングされている。２１０はプラテン２０２を覆い、原稿をプラテン２０２に押圧するための押圧部材としての圧板であり、圧板２１０はその一端を回転中心として、画像読取装置２００に回動可能に配設される。ユーザは圧板２１０を上方に持ち上げることで、プラテン２０２に原稿を載置することができる。圧板２１０を持ち上げるとプラテン２０２が露出するため、以下この動作を「開ける」といい、圧板２１０を降ろす動作を「閉じる」という。
【００１９】
２０９はスキャナユニットである。スキャナユニット２０９は光源としての光学ランプ２０３と、第一ミラー２０４とを備え、後述するモータ３２６（図３参照）により副走査方向（図１中左右方向）に移動する。２０５は第二ミラー、２０６は第三ミラー、２０７はレンズ、２０８は画像読取素子としてのＣＣＤセンサである。
【００２０】
プラテン２０２に載置された原稿は、光学ランプ２０３により照射され、原稿からの反射光が第一ミラー２０４、第二ミラー２０５、第三ミラー２０６、レンズ２０７を介してＣＣＤセンサ２０８に受光される。その後光電変換され、原稿の主走査方向の画像情報が読み取られる。そして、スキャナユニット２０９が移動して、原稿の副走査方向の画像情報が読み取られる。
【００２１】
続いて、圧板２１０の開閉検知方法について、図１ｂ〜ｄを用いて説明する。
【００２２】
図１ｂは圧板２１０が閉じられた状態、図１ｃは圧板２１０が閉じかけの状態、図１ｄは圧板２１０が完全に開けられた状態を示す。圧板２１０の開閉検知は、２つのセンサ２１３、２１４を用いて行う。センサ２１３、２１４は、圧板２１０の開閉に伴い稼動するフラグ２１５が圧板２１０が閉じられた状態において両センサを検知し、閉じかけの状態においてセンサ２１３のみを検知し、完全に開けられた状態において両センサを検知しない位置に配置される。センサ２１３、２１４としては例えばフォトインタラプタを用い、画像読取装置２００のＣＰＵ（図３における３２１）がフォトインタラプタの光路状態によって圧板２１０の開閉を検知する。センサ２１３、２１４、及びフラグ２１５は圧板２１０の開閉検知手段を構成する。
【００２３】
図２は、原稿サイズ検知を実施するためのセンサの配置図である。
【００２４】
図２において、２０９はスキャナユニットであり、原稿の主走査方向のサイズ検知を行う。２２０、２２１は反射型センサであり、原稿の副走査方向のサイズ検知を行う。
【００２５】
図３は本実施例の画像読取装置を構成するブロック図であり、画像読取装置２００とコントローラ４００とで構成される。
【００２６】
画像読取装置２００において３２１は、プログラムが格納されたＲＯＭ３２２、ＲＡＭ３２３にアクセスし、原稿画像読み取り動作を制御する制御手段としてのＣＰＵである。３２７は、原稿画像読み取りのために原稿を照射する光学ランプ２０３を制御するＬＡＭＰ制御部である。３２８は、光学ランプ２０３から照射され、原稿に反射して戻ってきた反射光を光電変換し、電気信号に変換する画像読取素子としてのＣＣＤセンサである。モータ３２６はスキャナユニット２０９の駆動源である。ＣＰＵ３２１は、その他各種センサ３２９による検知信号をモニタすることで画像読み取り制御を実施している。
【００２７】
紙間補正部３２４は、スキャナユニット２０９によるスキャンの直前及び直後に必要な画像読み取りに必要な準備制御を実施している。画像処理手段としての画像処理部３２５は、スキャナユニット２０９によりスキャンしてＣＣＤセンサ３２８の光電変換により電気信号に変換された原稿画像データに対し、シェーディング補正等の処理を実施している。画像処理部３２５によりシェーディング補正等の画像処理が施された原稿画像データは、ビデオ信号線３５３を通じてコントローラ４００に送信される。コントローラ４００に送信された原稿画像データは、増幅回路４０２、Ａ／Ｄ変換処理部４０３、補正回路４０４での各処理を経て、原稿画像データとして画像メモリ４０５に保持される。
【００２８】
なお、一連の画像読み取り制御には、コントローラ４００と画像読取装置２００との間で同期が行われる必要がある。本実施例においては、コントローラ４００の制御回路４０１と画像読取装置２００のＣＰＵ３２１との間で通信処理が行われ、読み取り制御に関連する各種の情報のやり取りが行われて、一連の画像読み取り制御が実施される。
【００２９】
［原稿画像読み取りシーケンス］
図４のフローチャートにより、通常のコピーキースタート等で実施される原稿の画像読み取りシーケンスについて説明する。
【００３０】
コピーキースタート等で原稿読み取りが開始される（ステップＳ４０１）と、スキャナユニット２０９がシェーディング可能位置にあるか否かを確認する（ステップＳ４０２）。スキャナユニット２０９がシェーディング可能位置にないと判断された場合、スキャナユニット２０９に取り付けられた不図示のフラグのエッジを検出し、スキャナユニット２０９の基準位置出しを実施してシェーディング位置へ移動させる（ステップＳ４０３）。本実施例では、シェーディング可能位置をスキャナユニット２０９の基準位置としている。
【００３１】
スキャナユニット２０９がシェーディング可能位置にあると判断された場合、あるいはスキャナユニット２０９がシェーディング可能位置に移動されると、ＣＣＤセンサ２０８により黒シェーディングサンプリングを実施する（ステップＳ４０４）。
【００３２】
次に、光学ランプ２０３を点灯し（ステップＳ４０５）、ＣＣＤセンサ２０８により白シェーディングサンプリングを実施して、シェーディング補正を行う（ステップＳ４０６）。ここで、黒シェーディングサンプリングとは、光学ランプ２０３を消灯した状態で、ＣＣＤセンサ２０８により基準白色板２１２を読み取る処理のことである。黒シェーディングサンプリングの結果は、後述するシェーディング補正時の黒レベルのオフセット処理に使用される。また、白シェーディングサンプリングとは、後述するシェーディング補正処理の要であり、基準白色板２１２に光学ランプ２０３を点灯照明し、主走査方向の白レベルを検出するためのサンプリングである。そして、シェーディング補正とは、黒及び白シェーディングサンプリングの結果から主走査方向の読み取りレベルの段差や落ち込みを検出し、読み取りレベルをゲインで調整することで主走査方向の白レベルの読み取りレベルを一様に補正する制御である。主走査方向の読み取りレベルの落ち込みは、特に原稿の端部位置で激しい。
【００３３】
シェーディング補正の実施後、基準白色板２１２上のゴミを検知する（ステップＳ４０７）。基準白色板２１２上でゴミが検知された場合には、読み取られる白レベルがゴミ検知部分において変化するため、変化特異点を検出してゴミ位置を特定し、特定された領域の白レベルを画像処理部３２５（図３参照）で補正する。
【００３４】
基準白色板２１２上のゴミ検知の終了後、スキャナユニット２０９を画像読み取り開始待機位置まで移動させる（ステップＳ４０８）。画像読み取り開始待機位置とは、原稿をサイズ指標板２１１に突き当ててセットした際に、スキャナユニット２０９が走査開始して原稿の突き当て位置において安定した読取速度に到達するように加速距離を取ることができる移動開始位置である。
【００３５】
スキャナユニット２０９を画像読み取り開始待機位置に移動させた後、画像読み取り先端タイミングに合わせて、原稿画像読み取り動作を実施する（ステップＳ４０９）。読み取り動作が終了した後には、光学ランプ２０３を消灯し（ステップＳ４１０）、スキャナユニット２０９を基準位置、すなわち本実施例ではシェーディング可能位置へ移動させて（ステップＳ４１１）、画像読み取りシーケンスを終了する（ステップＳ４１２）。
【００３６】
［自動原稿サイズ検知制御］
次に、図５のフローチャートにより、自動原稿サイズ検知シーケンスについて説明する。
【００３７】
ユーザにより原稿がプラテン２０２上にセットされる際に圧板２１０が開けられると、図１ｄに示す状態になる。圧板２１０が開かれたことを画像読取装置２００のＣＰＵ３２１が検知すると（ステップＳ５０１）、スキャナユニット２０９をセットされた原稿の一部を読み取り可能な位置まで移動させる（ステップＳ５０２）。その位置で、原稿画像読み取り時と同様に、ＣＣＤセンサ２０８により原稿の一部の１ラインについて主走査方向の読み取りを実施する。
【００３８】
主走査方向の原稿サイズ検知時の読み取りは、最初は光学ランプ２０３を消灯した状態で読み取りを行う。この際のＣＣＤセンサ２０８による読み取りは、プラテン２０２を覆う圧板２１０が開いているため、室内の蛍光灯等の外光の影響を受けることが想定される。こうした外光は原稿により遮られるため、これにより主走査方向の端部エッジを検出することができ、外光と判断された領域を原稿無し領域と判断する（ステップＳ５０３）。
【００３９】
また、副走査方向の原稿サイズについては、図２に示すように配置された複数の反射型センサ２２０、２２１により行う。各反射型センサ２２０、２２１は、その発光部から赤外光を原稿台下側から発光し、原稿からの反射光をその受光部で受光することにより、原稿の副走査方向のおよその長さを検出する（ステップＳ５０４）。
【００４０】
次に、圧板２１０を閉じる動作を開始する（ステップＳ５０５）。図１ｃに示す圧板２１０が閉じかけの状態をＣＰＵ３２１が検知すると（ステップＳ５０６）、光学ランプ２０３を点灯し（ステップＳ５０７）、原稿を照明してＣＣＤセンサ２０８により原稿のある１ラインの主走査方向を読み取る（ステップＳ５０８）。光学ランプ２０３からの光が原稿により遮られ反射される部分と、原稿がないため遮られず反射光が戻ってこない部分が検出され、その検出結果により原稿の端部が検出される。
【００４１】
こうして、ＣＣＤセンサ２０８によりステップＳ５０３において実施した外光検知結果と、ステップＳ５０８において実施した原稿の端部検出結果とにより精密な主走査長を検出する。その上で、ステップＳ５０４において検出されたある程度の副走査方向長により、定形サイズの原稿サイズを確定することが可能となるため、圧板２１０が完全に閉じるタイミングでは原稿サイズが確定する（ステップＳ５０９）。
【００４２】
副走査方向長について、およその長さに分類できる程度に検出しているのは、主走査方向長がある程度精密に検出できるためである。例えば、主走査方向長として、Ａ４サイズ分の主走査方向長が検知できた場合に、副走査方向の反射型センサ２２０、２２１が両方とも原稿からの反射光を検知していればＡ３サイズと確定することが可能である。また、反射型センサ２２０、２２１が両方とも未検知であればＡ４とサイズを確定することが可能である。
【００４３】
原稿サイズが確定すると、通常は光学ランプ２０３を消灯し（ステップＳ５１０）スキャナユニット２０９が基準位置、本実施例ではシェーディング可能位置へ移動する（ステップＳ５１１）。そして、ＣＣＤセンサ２０８をＯＦＦすることで読み取り可能状態から解除し、自動原稿サイズ検知を終了する（ステップＳ５１２）。
【００４４】
［原稿サイズ検知終了時のランプ点灯制御］
通常の画像読み取り制御及び自動原稿サイズ検知制御について説明したが、前述のとおり光学ランプ２０３の光量安定には時間がかかるため、ＦＣＯＴを短縮するためには、この光学ランプ２０３の光量安定時間も無視できなくなってきている。しかしながら、単純に最初から光学ランプ２０３を点灯状態のままで待機させると、光学ランプ２０３の寿命が短くなってしまうため、最適に光学ランプ２０３の点灯及び消灯を制御する必要がある。
【００４５】
そこで、光学ランプ２０３の光量安定時間も考慮した制御シーケンスを図６のフローチャートにより説明する。図６のフローチャートにおいて、図５のフローチャートにおけるステップＳ５００から原稿サイズが確定するステップＳ５０８までは同一のフローであるため、説明は省略する。
【００４６】
原稿サイズが確定（ステップＳ５０９）した後に、プラテン２０２上に原稿がセットされたこと（原稿有り）を判断する（ステップＳ５１３）。プラテン２０２上の原稿の有無判断は、原稿サイズ検知の主走査方向長検知で原稿の端部エッジが検出できたか否か、あるいは、副走査方向長検知時の反射型センサ２２０で原稿からの反射光を検知したか否かにより行う。ステップＳ５１３において原稿有りと判断された場合には、光学ランプ２０３を消灯せずに点灯状態を保持し、またＣＣＤセンサ２０８もＯＦＦせずにＯＮ状態を保持し、スキャナユニット２０９をシェーディング位置へ移動させる（ステップＳ５１４）。原稿無しと判断された場合には、光学ランプ２０３を消灯し、ＣＣＤセンサ２０８をＯＦＦする（ステップＳ５１８）。
【００４７】
光学ランプ点灯保持開始後、光学ランプ２０３の寿命を考慮した所定時間ＴをＣＰＵ３２１で計測する（ステップＳ５１５）。所定時間Ｔ計測中にユーザからのジョブの受付がなく、所定時間Ｔが経過した場合には（ステップＳ５１６）、光学ランプ２０３を消灯し、ＣＣＤセンサ２０８をＯＦＦする（ステップＳ５１８）。
【００４８】
所定時間Ｔ以内にコピーキースタート等でユーザから画像読み取り開始を指示された場合には（ステップＳ５１７）、白シェーディングサンプリングから画像読み取り制御を開始する（ステップＳ５１９、５２０）。
【００４９】
所定時間Ｔ以内にユーザから画像読み取り開始を指示された場合、光学ランプ２０３及びＣＣＤセンサ２０８が読み取り準備状態で保持されているため、画像読み取り前準備で時間を要するランプ光量安定時間を待つことなく原稿画像読み取りを開始できる。よって、通常の光学ランプ消灯状態で読み取り前準備開始から読み取りを開始する場合に比較して、ＦＣＯＴを短縮することが可能となる。
【００５０】
また、光学ランプ２０３の点灯状態保持により変動した光量については、光学ランプ点灯時の光量変動に応じた白シェーディングサンプリングを行い、再度のシェーディング補正処理により補正可能なため、安定した原稿画像読み取りが可能となる。
【００５１】
なお、黒シェーディングサンプリングについては、通常、画像読取装置立上げ時に黒シェーディングサンプリングが行われる。また、例えば所定時間Ｔ以内にユーザからの指示がなく光学ランプ２０３が消灯し（ステップＳ５１８）、所定時間Ｔ経過後にユーザからのコピーキースタート等の指示があった場合には、図４のフローチャートに示す画像読み取りシーケンスが実行される。そして、黒レベル、すなわち光学ランプ消灯時の基準白色板２１２の変動は大きくない。したがって、図６のフローチャートに示す制御シーケンスを実行する際には、前回の黒シェーディングサンプリング実施時のサンプリングデータを使用することが可能であり、これにより、光学ランプを消灯せずに光学ランプ点灯状態を保持することができる。
【００５２】
また、光学ランプ２０３が点灯したままでは、すぐに光学ランプ２０３が寿命に達してしまう。本実施例においては、光学ランプ点灯保持開始後、光学ランプ２０３の寿命を考慮した所定時間Ｔ中にジョブ受付がない場合に光学ランプ２０３を消灯することで、光学ランプの短命化を防いでいる。
【００５３】
以上、本実施例によれば、原稿サイズ検知処理終了時に原稿の有無を確認し、原稿有りの場合には、光学ランプを消灯せずにそのまま点灯状態を保持することで、ＦＣＯＴを短縮することが可能となる。光学ランプ点灯状態を継続することで発生する光学ランプの光量変動に対しては、この場合のジョブ開始時に白シェーディングサンプリングから開始し、シェーディング補正を実施するので、常に安定した原稿画像読み取りが可能となる。
【図面の簡単な説明】
【００５４】
【図１ａ】実施例１の画像読取装置の正面断面図
【図１ｂ】画像読取装置の側面断面図
【図１ｃ】画像読取装置の側面断面図
【図１ｄ】画像読取装置の側面断面図
【図２】原稿サイズ検知のためのセンサの配置図
【図３】画像読取装置のブロック図
【図４】原稿の画像読み取りシーケンスのフローチャート
【図５】自動原稿サイズ検知シーケンスのフローチャート
【図６】特徴となる制御シーケンスのフローチャート
【符号の説明】
【００５５】
２０２  プラテン（原稿台に対応）
２０３  光学ランプ（光源に対応）
２０８、３２８  ＣＣＤセンサ（画像読取素子に対応）
２１０  圧板（押圧部材に対応）
２１３、２１４  センサ（開閉検知手段に対応）
２１５  フラグ（開閉検知手段に対応）
３２１  ＣＰＵ（制御手段に対応）
３２５  画像処理部（画像処理手段に対応）
【図１ａ】
2008172486.tif 000003
【図１ｂ】
2008172486.tif 000004
【図１ｃ】
2008172486.tif 000005
【図１ｄ】
2008172486.tif 000006
【図２】
2008172486.tif 000007
【図３】
2008172486.tif 000008
【図４】
2008172486.tif 000009
【図５】
2008172486.tif 000010
【図６】
2008172486.tif 000011